(57)【要約】【課題】小型であり、コンタクトの定格電流を増加できるジャックを提供する。【解決手段】ジャック１０は、内筒端子８１、絶縁筒８２、及び外筒端子８３で構成したプラグ８と接続する。ジャック１０は、ハウジング１、第１コンタクト２、及び第２コンタクト３を備える。ハウジング１は、プラグ挿入口１ａを開口し、プラグ８を受容するプラグ収容室１１を有する。第１コンタクト２は、内筒端子８１に接続できる細軸状の第１コンタクト部２２を有する。第２コンタクト３は、第１コンタクト部２２と対向配置され、外筒端子８３に接触する弾性屈曲片３３を設けた第２コンタクト部３２を有する。第２コンタクト部３２は、ハウジング１の内壁の広い面に沿って配置され、弾性屈曲片３３の固定端部に連続して伝熱可能な放熱部３４を有する。ジャック１０は、第２コンタクト３に流れる増加した電流に伴う発熱を放熱部３４に熱伝導する。【選択図】図４
2015037029.tif 000002
【特許請求の範囲】
【請求項１】
先端面が開口された内筒端子、この内筒端子の外周を覆う絶縁筒、及び、この絶縁筒の外周を囲う外筒端子で構成したプラグと接続するジャックであって、
前記プラグが挿入されるプラグ挿入口を一方の面に開口し、当該プラグを受容するプラグ収容室を内部に有する略直方体のハウジングと、
前記ハウジングの内部に配置され、前記内筒端子に接続する第１コンタクトと、
前記ハウジングの内部に配置され、前記外筒端子に接続する第２コンタクトと、を備え、
前記第１コンタクトは、
当該第１コンタクトの基端部に配置され、第１電線の端末を接続する第１タブ部と、
前記プラグ収容室に収容されると共に、先端部が前記プラグ挿入口の中央部に向かって延び、前記内筒端子に挿入される細軸状の第１コンタクト部と、を有し、
前記第２コンタクトは、
当該第２コンタクトの基端部に配置され、第２電線の端末を接続する第２タブ部と、
前記第１コンタクト部と対向配置され、前記外筒端子に接触する帯板状の弾性屈曲片を設けた第２コンタクト部と、を有し、
前記第２コンタクト部は、前記ハウジングの内壁の広い面に沿って配置され、前記弾性屈曲片の固定端部に連続して伝熱可能な放熱部を有するジャック。
【請求項２】
前記第２コンタクト部は、前記弾性屈曲片の内部に配置され、当該弾性屈曲片の自由端部のばね特性を支援する帯状の屈曲したアシスト板ばねを更に備える請求項１記載のジャック。
【請求項３】
前記弾性屈曲片は、前記外筒端子の先端部をその外周の一方の側面側から押圧する第１接点を頂上部に有し、
前記放熱部は、その両翼が屈曲されて前記ハウジングの内壁側面に沿って配置される一対の折り曲げ片を有し、
一方の前記折り曲げ片は、前記弾性屈曲片の固定端部を構成すると共に、他方の前記折り曲げ片は、プラグ挿入口の近傍に配置され、前記外筒端子の基端部をその外周の他方の側面側から当接する第２接点を有し、
前記プラグを前記プラグ収容室に挿入すると、前記第２接点を支点として、前記第１接点が当該プラグを押圧して、当該プラグを僅かに傾動させる請求項１又は２記載のジャック。
【請求項４】
前記第２接点に対して、前記第１コンタクト部の先端縁を前記プラグ収容室の奥側に位置させ、前記プラグを前記プラグ収容室に挿入すると、前記第１コンタクト部と前記内筒端子との接触より先に、前記第２接点と前記外筒端子とが接触する請求項３記載のジャック。
【発明の詳細な説明】
【技術分野】
【０００１】
本発明は、ジャックに関する。特に、携帯型電子機器などに実装され、電気信号又は電力が供給されるプラグと接続されるジャックの構造に関する。
【背景技術】
【０００２】
ノート型パソコンなど携帯型電子機器は、直流で動作するものが多い。このため、ＡＣアダプタによって家庭用の交流電源の電圧を降圧させると同時に、直流電源に変換して、携帯型電子機器の電源としている。多くのＡＣアダプタは、直流用の電源プラグをケーブルの端末に取り付けている。そして、携帯型電子機器に備えた電源ジャックに電源プラグを挿入することで、電源プラグと電源ジャックが電気的に接続され、携帯型電子機器に直流電源を供給できる。
【０００３】
このような電源ジャックは、例えば、中空柱形状のコンタクトとＪ字型のコンタクトを備え、これらのコンタクトは、電線の端末と圧着により電気的に結線している。そして、中空柱形状のコンタクトがハウジングに強固に保持され、中空柱形状のコンタクトの先端部が容易に振れない構造を有すジャックが開示されている（例えば、特許文献１参照）。
【０００４】
特許文献１によるジャックは、中空柱形状のコンタクトを有するジャックであって、円筒状のコンタクト本体内に圧入ピンを圧入しているので、コンタクト本体がハウジングに強固に保持され、中空柱形状のコンタクトの先端部が容易に振れない、としている。そして、視認される円筒状のコンタクト本体の姿勢が安定しているのでユーザーに安心感を与え、接続不良の要因を取り除くことができる。
【先行技術文献】
【特許文献】
【０００５】
【特許文献１】特開２００５−２２２７４２号公報
【発明の概要】
【発明が解決しようとする課題】
【０００６】
図９は、特許文献１によるジャックの斜視図であり、Ｊ字型のコンタクトをハウジングに挿入する前の状態図である。図１０は、特許文献１によるジャックの斜視図であり、中空柱形状のコンタクトをハウジングに挿入する前の状態図である。図１１は、特許文献１によるジャックの斜視図であり、中空柱形状のコンタクトをハウジングに挿入した状態図である。図１２は、特許文献１によるジャックの斜視図であり、中空柱形状のコンタクトに圧入ピンを圧入する前の状態図である。なお、本願の図９から図１２は、特許文献１の図１から図４に相当している。
【０００７】
図１３は、特許文献１によるジャックの斜視図であり、ハウジングにカバーを係合する前の状態図である。図１４は、特許文献１によるジャックの斜視図であり、カバー側からジャックを観ている。図１５は、特許文献１によるジャックの斜視図であり、プラグの挿入側からジャックを観ている。なお、本願の図１３から図１５は、特許文献１の図５から図７に相当している。
【０００８】
図１６は、特許文献１によるジャックに備わるＪ字型のコンタクトの斜視図である。図１７は、特許文献１によるジャックの縦断面図であり、図１７（Ａ）は、中空柱形状のコンタクトに圧入ピンを圧入する前の状態図、図１７（Ｂ）は、中空柱形状のコンタクトに圧入ピンを圧入した状態図、図１７（Ｃ）は、ジャックにプラグを接続した状態図である。なお、本願の図１６は、特許文献１の図１０に相当し、本願の図１７は、特許文献１の図１６に相当している。
【０００９】
図９を参照すると、特許文献１によるジャック９は、Ｊ字型のコンタクト９ｊをハウジング９ｈの背面側から組み込むことができる。コンタクト９ｊは、電線９ｗの端末を圧着している。図１０を参照すると、ジャック９は、空柱形状のコンタクト９ｐをハウジング９ｈの背面側から組み込むことができる。コンタクト９ｐは、電線９ｗの端末を圧着している。
【００１０】
図１１を参照すると、コンタクト９ｐは、その圧着部を屈曲して、電線９ｗをハウジング９ｈの背面に沿わすことができる（図１２参照）。図１２を参照すると、コンタクト９ｐには、その円筒部に圧入ピン９１ｐを背面側から圧入できる。図１３を参照すると、ハウジング９ｈは、その背面をカバー９ｃでスライド可能に覆うことができる（図１４参照）。
【００１１】
図１５を参照すると、ハウジング９ｈは、その正面に円形開口９３を形成している。円形開口９３には、プラグ９０ｐを挿入できる（図１７（Ｃ）参照）。円形開口９３は、第１コンタクト収容室９３ｈに連通している（図１７（Ａ）参照）。第１コンタクト収容室９３ｈには、コンタクト９ｐの円筒部を収容している（図１７（Ａ）参照）。
【００１２】
図１６を参照すると、コンタクト９ｊは、矩形の背面板９１ｊ、一対のガイド板９２ｊ・９２ｊ、及びベローズ状の接触片９３ｊで構成している。背面板９１ｊは、基端部の一部が電線９ｗを圧着している。一対のガイド板９２ｊ・９２ｊは、背面板９１ｊの両側面が略直角に折り曲げられて形成されている。接触片９３ｊは、背面板９１ｊの先端部からＪ字状に反転している（図１７（Ｂ）参照）。
【００１３】
図１７（Ｂ）を参照すると、コンタクト９ｊは、第１コンタクト収容室９３ｈに連通した第２コンタクト収容室９４ｈに収容されている。接触片９３ｊは、コンタクト９ｐの円筒部と所定の間隙を設けて、円筒部と対向配置している。
【００１４】
図１７（Ｃ）を参照して、第１コンタクト収容室９３ｈにプラグ９０ｐを挿入すると、プラグ９０ｐに設けた内筒端子（図示せず）をコンタクト９ｐに接触でき、プラグ９０ｐに設けた外筒端子（図示せず）を接触片９３ｊに接触できる。これにより、ジャック９とプラグ９０ｐを電気的に接続できる。
【００１５】
しかしながら、図示したジャック９を取り付けるノート型パソコンなどは、その筐体の一層の薄型化が進行している。この薄型化に伴って、ジャックもその実装高さを低くすること、いわゆる低背化が要求されている。図１６又は図１７（Ｂ）を参照して、接触片９３ｊの幅を狭くして、ジャックを低背化することは容易であるが、プラグ９０ｐへの接触圧力が不足するという問題がある。
【００１６】
又、ノート型パソコンなどは、その筐体の薄型化と並行して、定格電流を増加させている。この場合、ＡＣ電源用のジャックは、コンタクトの定格電流を増加させることが求められている。
【００１７】
コンタクトの定格電流の増加に対応するため、ベローズ形コンタクトの板厚を厚くして、コンタクトの抵抗値を減らすことが考えられる。しかし、ベローズ形コンタクトは、その曲げ荷重が板厚の略３乗に比例するので、接点の接触圧力を増加できるが、繰り返し荷重に対して、破損に至るまでの寿命を短くするという問題がある。
【００１８】
コンタクトの定格電流の増加に対応するため、コンタクトの接点に金メッキを施すことで、コンタクトの接触抵抗を減少させることが考えられるが、金メッキは高価であるという問題がある。携帯型電子機器の薄型化及びコンタクトの定格電流の増加に対応するため、小型でありコンタクトの定格電流を増加できるジャックが求められている。そして、以上のことが本発明の課題といってよい。
【００１９】
本発明は、このような課題に鑑みてなされたものであり、小型であり、コンタクトの定格電流を増加できるジャックを提供することを目的とする。
【課題を解決するための手段】
【００２０】
本発明者らは、プラグに設けた外筒端子に接触する弾性屈曲片を有するＪ字状のコンタクトをハウジングの内部に配置し、このコンタクトに放熱部を設けて、このコンタクトに流れる増加した電流に伴う発熱を放熱部に熱伝導することでコンタクトを冷却すると共に、弾性屈曲片のばね特性を支援するアシスト板ばねを弾性屈曲片の内部に配置し、これにより、小型であり、コンタクトの定格電流を増加できることを見出し、これに基づいて、以下のような新たなジャックを発明するに至った。
【００２１】
（１）  先端面が開口された内筒端子、この内筒端子の外周を覆う絶縁筒、及び、この絶縁筒の外周を囲う外筒端子で構成したプラグと接続するジャックであって、前記プラグが挿入されるプラグ挿入口を一方の面に開口し、当該プラグを受容するプラグ収容室を内部に有する略直方体のハウジングと、前記ハウジングの内部に配置され、前記内筒端子に接続する第１コンタクトと、前記ハウジングの内部に配置され、前記外筒端子に接続する第２コンタクトと、を備え、前記第１コンタクトは、当該第１コンタクトの基端部に配置され、第１電線の端末を接続する第１タブ部と、前記プラグ収容室に収容されると共に、先端部が前記プラグ挿入口の中央部に向かって延び、前記内筒端子に挿入される細軸状の第１コンタクト部と、を有し、前記第２コンタクトは、当該第２コンタクトの基端部に配置され、第２電線の端末を接続する第２タブ部と、前記第１コンタクト部と対向配置され、前記外筒端子に接触する帯板状の弾性屈曲片を設けた第２コンタクト部と、を有し、前記第２コンタクト部は、前記ハウジングの内壁の広い面に沿って配置され、前記弾性屈曲片の固定端部に連続して伝熱可能な放熱部を有するジャック。
【００２２】
（１）の発明によるジャックは、内筒端子、絶縁筒、及び外筒端子で構成したプラグと接続できる。内筒端子は、その先端面を開口している。絶縁筒は、内筒端子の外周を覆っている。外筒端子は、絶縁筒の外周を囲っている。
【００２３】
（１）の発明によるジャックは、略直方体のハウジング、第１コンタクト、及び第２コンタクトを備えている。ハウジングは、プラグが挿入されるプラグ挿入口を一方の面に開口している。又、ハウジングは、プラグを受容するプラグ収容室を内部に有している。第１コンタクトは、ハウジングの内部に配置され、内筒端子に接続できる。第２コンタクトは、ハウジングの内部に配置され、外筒端子に接続できる。
【００２４】
第１コンタクトは、第１タブ部と細軸状の第１コンタクト部を有している。第１タブ部は、第１コンタクトの基端部に配置され、第１電線の端末を接続できる。第１コンタクト部は、プラグ収容室に収容されると共に、先端部がプラグ挿入口の中央部に向かって延びている。そして、第１コンタクト部は、内筒端子に挿入される。
【００２５】
第２コンタクトは、第２タブ部と第２コンタクト部を有している。第２タブ部は、第２コンタクトの基端部に配置され、第２電線の端末を接続できる。第２コンタクト部は、帯板状の弾性屈曲片を設けている。弾性屈曲片は、第１コンタクト部と対向配置されている。又、弾性屈曲片は、外筒端子に接触できる。
【００２６】
第２コンタクト部は、放熱部を有している。放熱部は、ハウジングの内壁の広い面に沿って配置され、弾性屈曲片の固定端部に連続して伝熱できる。
【００２７】
（１）の発明によるジャックに接続するプラグは、内筒端子を電位の高い正極とすることが好ましく、外筒端子を電位の低い負極とすることが好ましい。そして、内筒端子をプラス側端子とすることができ、内筒端子をグラウンド端子とすることができる。これにより、第１コンタクトをプラス側端子とすることができ、第２コンタクトをグラウンド端子とすることができる。又、第１電線を信号線とすることができ、第２電線をグラウンド線とすることができる。
【００２８】
プラグは、内筒端子と外筒端子が同心円状に配置される二重管構造であってよく、プラグの基端側は、絶縁性の合成樹脂で被覆されてよく、ケーブルが延出される。このプラグの基端側を把持して、ジャックに挿抜できる。ここで、プラグは、内筒端子及び外筒端子の軸方向と平行にケーブルが延出する、いわゆるストレートタイプであってもよく、内筒端子及び外筒端子の軸方向と直角にケーブルが延出する、いわゆるＬ形タイプであってもよい。
【００２９】
ハウジングは、絶縁性を有してよく、非導電性の材料からなっている。非導電性の合成樹脂を成形して、所望の形状のハウジングを得ることができる。ハウジングは、略直方体の形状であるが、パネルに取り付けるために、ハウジングの両側面から、二重の鍔片を相反する向きに突出することを排除しない。
【００３０】
例えば、ハウジングは、プラグ挿入口が開口した一方の面が矩形に形成されてよく、プラグ挿入口に対向するハウジングの他方の面は、矩形に形成されている。ハウジングの他方の面には、第１コンタクトの基端部が一方の面から挿入される第１開口を開口でき、第２コンタクトを他方の面から挿入する第２開口を開口できる。
【００３１】
プラグ挿入口は、ハウジングの外部からプラグが挿入される開口であってよく、ハウジングの一方の面は、プラグが挿入されるための面積、又は外形を有している。例えば、プラグ挿入口は、プラグが挿入されるときにのみ開く開口であってもよく、ヒンジで結合された扉で開口が密閉され、プラグが挿入されると連動して、前記扉が開く機構を備えた開口を含むことができる。
【００３２】
プラグ挿入口は、プラグの外側端子に適合する形状が好ましく、例えば、円形であってもよく、正四角形を含む矩形であってもよい。プラグ挿入口が円形の場合は、プラグ収容室は略円柱形状の空間となってよく、プラグ挿入口が矩形の場合は、プラグ収容室は略直方体状の空間となってもよい。プラグ挿入口が円形であって、プラグ収容室は略直方体状の空間となってもよい。
【００３３】
ハウジングの一方の面とは、プラグが挿入される側の面であって、例えば、この一方の面がパネルから露出してもよく、プラグ挿入口以外の一方の面が、このパネルで遮蔽されてもよい。一方の面は、平面であってもよく、凹凸が形成される場合も一方の面に含まれる。例えば、円形のプラグ挿入口を内円とする筒体が一方の面から突出形成される場合も、一方の面に含まれる。一方の面は表面（オモテ面）と呼称される場合もある。又、プラグ挿入口と対向する他方の面は裏面（ウラ面）と呼称される場合もある。
【００３４】
プラグ収容室は、プラグを受容する空間であってよく、第１及び第２コンタクトを保持又は収納する空間であってよく、ハウジング内に形成される。第１及び第２コンタクト部は、プラグ収容室に挿入、保持、収納などにより配置されてよく、プラグをプラグ収容室に挿入することにより、第１及び第２コンタクトが接続される。
【００３５】
第１コンタクトは、導電性を有し、例えば、金属棒が切削加工されたスクリューマシン・コンタクトであってよく、細軸状の第１コンタクト部を得ることができる。第１コンタクトは、その基端部にアングル状のタブ部材の一片がカシメ付けられる第１タブ部を設けることができ、タブ部材の他片に第１電線の端末をハンダ接合することで、第１コンタクトと第１電線を電気的に接続できる。第１コンタクトは、銅合金などの導電性や機械加工性に優れた材料が好ましく用いられるが、銅合金に限定されない。
【００３６】
第２コンタクトは、導電性を有し、帯状に展開された導電性の金属薄板が折り曲げ成形されて、ベローズ形の弾性屈曲片を設けた所望の形状の第２コンタクトを得ることができる。第２コンタクトは、その基端部に第２電線の端末がハンダ接合される第２タブ部を設けること好ましく、第２コンタクトと第２電線を電気的に接続できる。第２コンタクトは、弾性屈曲片が所要のばね特性が得られるような形状に曲げて作られる。第２コンタクトは、銅合金などの導電性や展伸性に優れた材料が好ましく用いられるが、銅合金に限定されない。
【００３７】
第１電線及び第２電線は、芯線が絶縁体で被覆された被覆電線であってよく、被覆電線は、単線であってもよく、ペア線であってもよい。芯線は、単線であってもよく、撚り線であってもよい。第１電線及び第２電線は、その端末の被覆が剥離されて、第１タブ部及び第２タブ部に芯線をそれぞれハンダ接合できる。
【００３８】
（１）の発明によるジャックは、第２コンタクトが外筒端子に接触する弾性屈曲片の固定端部に連続した放熱部を有している。（１）の発明によるジャックは、第２コンタクトに流れる増加した電流に伴う発熱を放熱部に熱伝導することで第２コンタクトを冷却し、これにより、小型であり、コンタクトの定格電流を増加できる。
【００３９】
（２）  前記第２コンタクト部は、前記弾性屈曲片の内部に配置され、当該弾性屈曲片の自由端部のばね特性を支援する帯状の屈曲したアシスト板ばねを更に備える（１）記載のジャック。
【００４０】
（２）の発明によるジャックは、導電率に優れている金属板を弾性屈曲片に適用することが好ましく、弾性屈曲片を弾性変形の限度までその板厚を薄くすることが好ましい。一方、アシスト板ばねは、導電率には優れていないが、繰り返し荷重に対して、破損に至るまでの寿命が長い材料を用いることが好ましく、このアシスト板ばねを弾性屈曲片の内部に弾性屈曲片に沿って配置することで、弾性屈曲片の自由端部の繰り返し荷重に対するばね特性を支援できる。（２）の発明によるジャックは、小型化してもコンタクトの寿命を短くすることなく、コンタクトの定格電流を増加できる。
【００４１】
（３）  前記弾性屈曲片は、前記外筒端子の先端部をその外周の一方の側面側から押圧する第１接点を頂上部に有し、前記放熱部は、その両翼が屈曲されて前記ハウジングの内壁側面に沿って配置される一対の折り曲げ片を有し、一方の前記折り曲げ片は、前記弾性屈曲片の固定端部を構成すると共に、他方の前記折り曲げ片は、プラグ挿入口の近傍に配置され、前記外筒端子の基端部をその外周の他方の側面側から当接する第２接点を有し、前記プラグを前記プラグ収容室に挿入すると、前記第２接点を支点として、前記第１接点が当該プラグを押圧して、当該プラグを僅かに傾動させる（１）又は（２）記載のジャック。
【００４２】
（３）の発明によるジャックは、プラグをプラグ収容室に挿入すると、第２接点を支点として、第１接点がプラグを押圧して、プラグを僅かに傾動させるので、第１コンタクト部を内筒端子に確実に接触できる。
【００４３】
（４）  前記第２接点に対して、前記第１コンタクト部の先端縁を前記プラグ収容室の奥側に位置させ、前記プラグを前記プラグ収容室に挿入すると、前記第１コンタクト部と前記内筒端子との接触より先に、前記第２接点と前記外筒端子とが接触する（３）記載のジャック。
【００４４】
（４）の発明によるジャックは、第２接点に対して、第１コンタクト部の先端縁をプラグ収容室の奥側に位置させており、プラス側端子となる第１コンタクト部と内筒端子との接触より先に、グラウンド端子となる第２接点と外筒端子とが接触するので、第１コンタクト部と内筒端子との短絡を防止できる。これにより、電子機器の内部の電気回路を保護できる。
【発明の効果】
【００４５】
発明によるジャックは、外筒端子に接触する弾性屈曲片がその固定端部に連続した放熱部を有している。本発明によるジャックは、第２コンタクトに流れる増加した電流に伴う発熱を放熱部に熱伝導することで第２コンタクトを冷却し、これにより、小型であり、コンタクトの定格電流を増加できる。
【図面の簡単な説明】
【００４６】
【図１】本発明の一実施形態によるジャックの構成を示す斜視図であり、ジャックを正面側から観ている。
【図２】前記実施形態によるジャックの構成を示す斜視図であり、ジャックを背面側から観ている。
【図３】前記実施形態によるジャックの構成を示す斜視図であり、ジャックを正面側から観ていると共に、ハウジングを想像線で示している。
【図４】前記実施形態によるジャックの構成を示す横断面図である。
【図５】前記実施形態によるジャックに備わる第２コンタクトの構成を示す斜視図である。
【図６】前記実施形態によるジャックの構成を示す図であり、図６（Ａ）は、ジャックの背面図、図６（Ｂ）は、図６（Ａ）の平面図、図６（Ｃ）は、図６（Ａ）の右側面図、図６（Ｄ）は、図６（Ａ）の左側面図、図６（Ｅ）は、図６（Ａ）の背面図、図６（Ｆ）は、図６（Ａ）の下面図、図６（Ｇ）は、ジャックの斜視図である。
【図７】前記実施形態によるジャックの構成を示す断面図であり、図７（Ａ）は、図６（Ａ）のＡ−Ａ矢視断面図、図７（Ｂ）は、図６（Ｂ）のＢ−Ｂ矢視断面図、図７（Ｃ）は、図６（Ａ）のＣ−Ｃ矢視断面図であり、図７の右側にはジャックに挿入するプラグを断面図で示している。
【図８】前記実施形態によるジャックの構成を示す縦断面図であり、図８（Ａ）は、プラグをジャックに挿入した直後の状態図、図８（Ｂ）は、プラグをジャックに完全に挿入した状態図である。
【図９】従来技術によるジャックの斜視図であり、Ｊ字型のコンタクトをハウジングに挿入する前の状態図である。
【図１０】従来技術によるジャックの斜視図であり、中空柱形状のコンタクトをハウジングに挿入する前の状態図である。
【図１１】従来技術によるジャックの斜視図であり、中空柱形状のコンタクトをハウジングに挿入した状態図である。
【図１２】従来技術によるジャックの斜視図であり、中空柱形状のコンタクトに圧入ピンを圧入する前の状態図である。
【図１３】従来技術によるジャックの斜視図であり、ハウジングにカバーを係合する前の状態図である。
【図１４】従来技術によるジャックの斜視図であり、カバー側からジャックを観ている。
【図１５】従来技術によるジャックの斜視図であり、プラグの挿入側からジャックを観ている。
【図１６】従来技術によるジャックに備わるＪ字型のコンタクトの斜視図である。
【図１７】従来技術によるジャックの縦断面図であり、図１７（Ａ）は、中空柱形状のコンタクトに圧入ピンを圧入する前の状態図、図１７（Ｂ）は、中空柱形状のコンタクトに圧入ピンを圧入した状態図、図１７（Ｃ）は、ジャックにプラグを接続した状態図である。
【発明を実施するための形態】
【００４７】
以下、図面を参照して本発明を実施するための形態を説明する。
【００４８】
［ジャックの構成］
最初に、本発明によるジャックの構成を説明する。図１は、本発明の一実施形態によるジャックの構成を示す斜視図であり、ジャックを正面側から観ている。図２は、前記実施形態によるジャックの構成を示す斜視図であり、ジャックを背面側から観ている。図３は、前記実施形態によるジャックの構成を示す斜視図であり、ジャックを正面側から観ていると共に、ハウジングを想像線で示している。図４は、前記実施形態によるジャックの構成を示す横断面図である。
【００４９】
図５は、前記実施形態によるジャックに備わる第２コンタクトの構成を示す斜視図である。図６は、前記実施形態によるジャックの構成を示す図であり、図６（Ａ）は、ジャックの背面図、図６（Ｂ）は、図６（Ａ）の平面図、図６（Ｃ）は、図６（Ａ）の右側面図、図６（Ｄ）は、図６（Ａ）の左側面図、図６（Ｅ）は、図６（Ａ）の背面図、図６（Ｆ）は、図６（Ａ）の下面図、図６（Ｇ）は、ジャックの斜視図である。
【００５０】
図７は、前記実施形態によるジャックの構成を示す断面図であり、図７（Ａ）は、図６（Ａ）のＡ−Ａ矢視断面図、図７（Ｂ）は、図６（Ｂ）のＢ−Ｂ矢視断面図、図７（Ｃ）は、図６（Ａ）のＣ−Ｃ矢視断面図であり、図７の右側にはジャックに挿入するプラグを断面図で示している。
【００５１】
（全体構成）
図１から図６を参照すると、本発明の一実施形態によるジャック１０は、プラグ８と接続できる。プラグ８は、内筒端子８１、絶縁筒８２、及び外筒端子８３で構成している（図１又は図７参照）。内筒端子８１は、その先端面を開口している。絶縁筒８２は、内筒端子８１の外周を覆っている。外筒端子８３は、絶縁筒８２の外周を囲っている。
【００５２】
図１から図６を参照すると、ジャック１０は、略直方体のハウジング１を備えている。ハウジング１は、プラグ８が挿入されるプラグ挿入口１ａを一方の面１ａａに開口している（図１参照）。又、ハウジング１は、プラグ８を受容するプラグ収容室１１を内部に有している（図１又は図７参照）。
【００５３】
図３又は図４を参照すると、ジャック１０は、第１コンタクト２と第２コンタクト３を備えている。第１コンタクト２は、ハウジング１の内部に配置されている。第１コンタクト２は、内筒端子８１に接続できる（図１参照）。第２コンタクト３は、ハウジング１の内部に配置されている。第２コンタクト３は、外筒端子８３に接続できる（図１参照）。
【００５４】
図３又は図４及び図７を参照すると、第１コンタクト２は、第１タブ部２１と細軸状の第１コンタクト部２２を有している。第１タブ部２１は、第１コンタクト２の基端部に配置され、第１電線９１ｗの端末を接続できる（図２参照）。第１コンタクト部２２は、プラグ収容室１１に収容されている。又、第１コンタクト部２２は、その先端部がプラグ挿入口１ａの中央部に向かって延びている（図１参照）。そして、第１コンタクト部２２は、内筒端子８１に挿入できる（図１又は図２参照）。
【００５５】
図３又は図４及び図５を参照すると、第２コンタクト３は、第２タブ部３１と第２コンタクト部３２を有している。第２タブ部３１は、第２コンタクト３の基端部に配置され、第２電線９２ｗの端末を接続できる（図２参照）。なお、第１電線９１ｗと第２電線９２ｗは、同じものであるが説明の便宜上、順位数と符号を変えて区別した。
【００５６】
図３又は図４及び図５を参照すると、第２コンタクト部３２は、帯板状の弾性屈曲片３３を設けている（図５参照）。弾性屈曲片３３は、第１コンタクト部と対向配置されている（図４参照）。又、弾性屈曲片３３は、外筒端子８３に接触できる（図１又は図２参照）。
【００５７】
図３又は図５を参照すると、第２コンタクト部３２は、放熱部３４を有している。放熱部３４は、ハウジング１の内壁の広い面に沿って配置されている（図２参照）。そして、放熱部３４は、弾性屈曲片３３の固定端部に連続して伝熱できる。
【００５８】
図３又は図４を参照すると、第２コンタクト部３２は、帯状のアシスト板ばね４を更に備えている。アシスト板ばね４は、弾性屈曲片３３の内部に配置されている。アシスト板ばね４は、弾性屈曲片３３の自由端部のばね特性を支援している。
【００５９】
（ハウジングの構成）
図４又は図７（Ｂ）を参照すると、ハウジング１は、第１収容室１３と第２収容室１４を有している。第１収容室１３は、第１コンタクト部２２を収容している（図７（Ｂ）参照）。第２収容室１４は、第２コンタクト部３２を収容している（図７（Ｂ）参照）。
【００６０】
図４又は図７を参照すると、第１収容室１３は、第１コンタクト部２２の基端部が挿入される第１開口１３ｈをハウジング１の他方の面１ｂｂに開口している（図２参照）。又、第１収容室１３は、プラグ収容室１１に連通している（図７（Ｂ）参照）。一方、図２又は図６（Ｅ）を参照すると、第２収容室１４は、第２コンタクト部３２が挿入される第２開口１４ｈをハウジング１の他方の面１ｂｂに開口している。又、第２収容室１４は、プラグ収容室１１に連通している（図４参照）。
【００６１】
（第１コンタクトの構成）
図３又は図４及び図７を参照すると、第１コンタクト２は、導電性を有し、例えば、金属棒が切削加工されたスクリューマシン・コンタクトであってよく、細軸状の第１コンタクト部２２を得ることができる。
【００６２】
図３又は図４及び図７を参照すると、第１コンタクト２は、その基端部が第１開口１３ｈに挿入され、アングル状のタブ部材２１ｔの一片がカシメ付けられる第１タブ部２１を設けることができる。そして、タブ部材２１ｔの他片に第１電線９１ｗの端末をハンダ接合することで、第１コンタクト２と第１電線９１ｗを電気的に接続できる。
【００６３】
（第２コンタクトの構成）
図３から図５を参照すると、第２コンタクト部３２は、その一部が切り欠かれた逃げ部３４ｋを形成した矩形の放熱部３４を有している。放熱部３４は、その両翼が屈曲された一対の折り曲げ片３５・３６を有している。これらの折り曲げ片３５・３６は、ハウジング１の内壁側面に沿って配置されている。
【００６４】
図３から図５を参照すると、一方の折り曲げ片３５は、第２タブ部３１を基端部側に突出している。又、折り曲げ片３５は、その基端部側の側面にランス３５ｒを突出している。図２を参照して、第２コンタクト３を第２開口１４ｈに挿入すると、ハウジング１の側面に開口した係止穴１ｗにランス３５ｒを係止できる。これにより、第２コンタクト３を脱落困難にハウジング１に保持できる。
【００６５】
図３から図５を参照すると、折り曲げ片３５は、その先端部側が弾性屈曲片３３の固定端部を構成している。更に、第２コンタクト部３２は、弾性屈曲片３３を間に配置して、折り曲げ片３５に対向配置した屈曲片３７を有している。
【００６６】
図３から図５を参照すると、弾性屈曲片３３は、その頂上部に第１接点３３ｓを形成している。第１接点３３ｓは、外筒端子８３の先端部をその外周の一方の側面側から押圧できる（図８（Ｂ）参照）。一方、他方の折り曲げ片３６は、プラグ挿入口１ａの近傍に配置された第２接点３６ｓを有している。第２接点３６ｓは、外筒端子８３の基端部をその外周の他方の側面側から当接できる（図８（Ｂ）参照）。
【００６７】
（プラグの構成）
図７を参照すると、プラグ８は、ジャック１０と電気的に接続するために、ケーブルの先端に取り付けられる接続器であってよく、導電性金属で形成された内筒端子８１及び外筒端子８３を有している。内筒端子８１は、先端が開口されており、第１コンタクト２が挿入可能である。内筒端子８１の外周は、絶縁性の合成樹脂で形成された絶縁筒８２で被覆されている。絶縁筒８２は、外筒端子８３で囲われている。外筒端子８３には、第２コンタクト３の弾性屈曲片３３が接触する。外筒端子８３の先端面は開口されている。内筒端子８１の先端面と外筒端子８３の先端面は揃っている。
【００６８】
図１又は図７を参照すると、プラグ８は、内筒端子８１と外筒端子８３とが同心円状に配置される二重管構造となっている。プラグ８の基端側は、絶縁性の合成樹脂で被覆されており、図示しないケーブルが延出されている。そして、プラグ８の基端側が把持されて、ジャック１０に挿抜される。
【００６９】
［ジャックの作用］
次に、実施形態によるジャック１０の作用を説明する。図８は、前記実施形態によるジャックの構成を示す縦断面図であり、図８（Ａ）は、プラグをジャックに挿入した直後の状態図、図８（Ｂ）は、プラグをジャックに完全に挿入した状態図である。
【００７０】
図８（Ａ）を参照して、プラグ８をプラグ収容室１１に挿入した直後では、外筒端子８３の先端部をその外周の他方の側面側から当接している。更に、プラグ８をプラグ収容室１１に挿入すると、図８（Ｂ）に示すように、第１接点３３ｓが外筒端子８３の先端部をその外周の一方の側面側から押圧すると共に、第２接点３６ｓが外筒端子８３の基端部をその外周の他方の側面側から当接している。
【００７１】
図８（Ｂ）に示した状態では、第２接点３６ｓを支点として、第１接点３３ｓがプラグ８を押圧して、プラグ８を僅かに傾動させている。これにより、実施形態によるジャック１０は、第１コンタクト部２２を内筒端子８１に確実に接触できる。
【００７２】
又、図８（Ａ）を参照すると、第２接点３６ｓに対して、第１コンタクト部２２の先端縁がプラグ収容室１１の奥側に位置している。したがって、図８（Ａ）の状態から図８（Ｂ）に示した状態に至る過程では、第１コンタクト部２２と内筒端子８１との接触より先に、第２接点３６ｓと外筒端子８３を接触できる。
【００７３】
図８を参照すると、実施形態によるジャック１０は、プラス側端子となる第１コンタクト部２２と内筒端子８１との接触より先に、グラウンド端子となる第２接点３６ｓと外筒端子８３とが接触するので、第１コンタクト部２２と内筒端子８１との短絡を防止できる。これにより、電子機器の内部の電気回路を保護できる。
【００７４】
図３又は図５を参照すると、実施形態によるジャック１０は、外筒端子８３に接触する弾性屈曲片３３がその固定端部に連続した放熱部３４を有している。実施形態によるジャック１０は、第２コンタクト３に流れる増加した電流に伴う発熱を放熱部３４に熱伝導することで第２コンタクト３を冷却できる。これにより、小型であり、コンタクトの定格電流を増加できるジャックを提供できる。
【００７５】
又、実施形態による第２コンタクト部３２は、弾性屈曲片３３の内部に弾性屈曲片３３に沿って配置され、弾性屈曲片３３の自由端部のばね特性を支援する帯状のアシスト板ばね４を更に備えている。アシスト板ばね４は、弾性屈曲片３３の自由端部の繰り返し荷重に対するばね特性を支援している。これにより、実施形態によるジャック１０は、小型化してもコンタクトの寿命を短くすることなく、コンタクトの定格電流を増加できる。
【００７６】
本発明によるジャックは、ノート型パソコンなどの小型の携帯型電子機器などに使用されてよく、小型でありコンタクトの定格電流を増加できるジャックを提供できる。
【符号の説明】
【００７７】
１  ハウジング
１ａ  プラグ挿入口
１ａａ  ハウジングの一方の面
１ｂｂ  ハウジングの他方の面
２  第１コンタクト
３  第２コンタクト
８  プラグ
１０  ジャック
１１  プラグ収容室
２１  第１タブ部
２２  第１コンタクト部
３１  第２タブ部
３２  第２コンタクト部
３３  弾性屈曲片
３４  放熱部
８１  内筒端子
８２  絶縁筒
８３  外筒端子
９１ｗ  第１電線
９２ｗ  第２電線
【図１】
2015037029.tif 000003
【図２】
2015037029.tif 000004
【図３】
2015037029.tif 000005
【図４】
2015037029.tif 000006
【図５】
2015037029.tif 000007
【図６】
2015037029.tif 000008
【図７】
2015037029.tif 000009
【図８】
2015037029.tif 000010
【図９】
2015037029.tif 000011
【図１０】
2015037029.tif 000012
【図１１】
2015037029.tif 000013
【図１２】
2015037029.tif 000014
【図１３】
2015037029.tif 000015
【図１４】
2015037029.tif 000016
【図１５】
2015037029.tif 000017
【図１６】
2015037029.tif 000018
【図１７】
2015037029.tif 000019